(57)【要約】【課題】  再生信号のDC変動を生じることなく、安定したパワー学習を行うことが可能な情報記録再生方法及び装置を提供する。【解決手段】  光磁気記録媒体１０１に記録されたテスト用信号を再生してパワー学習を行う場合、光磁気記録媒体１０１に再生磁界を印加する。また、光磁気記録媒体１０１にテスト用信号を記録し、その信号を再生してパワー学習を行う場合、テスト用信号の記録時に光磁気記録媒体のサーボ制御を行うためのピット或いはアドレス情報を示すピットが形成されたピット領域を一定方向に着磁した状態でテスト記録を行う。これにより、再生信号の変動を防止でき、精度の高いパワー学習を行うことができる。【選択図】        図１
2005174517.tif 000002
【特許請求の範囲】
【請求項１】
少なくとも、基板上に、磁壁が移動可能な第１の磁性層と、記録磁区を保持し、前記第１の磁性層より磁壁抗磁力が大きな第３の磁性層と、前記第１の磁性層と第３の磁性層との間に配され、前記第１の磁性層及び第３の磁性層よりもキュリー温度の低い第２の磁性層とが積層された磁壁移動型光磁気記録媒体を用いて情報を記録し、或いは記録情報を再生する情報記録再生方法において、前記光磁気記録媒体に記録されたテスト用信号を再生してパワー学習を行う場合、前記光磁気記録媒体に再生磁界を印加することを特徴とする情報記録再生方法。
【請求項２】
前記再生磁界の強度は、前記光磁気記録媒体に記録された信号の再生信号レベルと所定スレッシュレベルとの差分に基づいて調整を行い、再生信号のＤＣ変動のない磁界強度を検出することによって決定されることを特徴とする請求項１に記載の情報記録再生方法。
【請求項３】
少なくとも、基板上に、磁壁が移動可能な第１の磁性層と、記録磁区を保持し、前記第１の磁性層より磁壁抗磁力が大きな第３の磁性層と、前記第１の磁性層と第３の磁性層間に配され、前記第１の磁性層及び第３の磁性層よりもキュリー温度の低い第２の磁性層とが積層された磁壁移動型光磁気記録媒体を用いて情報を記録し、或いは記録情報を再生する情報記録再生方法において、前記光磁気記録媒体にテスト用信号を記録し、その信号を再生してパワー学習を行う場合、前記テスト用信号の記録時に前記光磁気記録媒体のサーボ制御を行うためのピット或いはアドレス情報を示すピットが形成されたピット領域を一定方向に着磁した状態でテスト記録を行うことを特徴とする情報記録再生方法。
【請求項４】
少なくとも、基板上に、磁壁が移動可能な第１の磁性層と、記録磁区を保持し、前記第１の磁性層より磁壁抗磁力が大きな第３の磁性層と、前記第１の磁性層と第３の磁性層との間に配され、前記第１の磁性層及び第３の磁性層よりもキュリー温度の低い第２の磁性層とが積層された磁壁移動型光磁気記録媒体を用いて情報を記録し、或いは記録情報を再生する情報記録再生装置において、前記光磁気記録媒体に記録されたテスト用信号を再生してパワー学習を行う場合、前記光磁気記録媒体に再生磁界を印加する手段を有することを特徴とする情報記録再生装置。
【請求項５】
少なくとも、基板上に、磁壁が移動可能な第１の磁性層と、記録磁区を保持し、前記第１の磁性層より磁壁抗磁力が大きな第３の磁性層と、前記第１の磁性層と第３の磁性層間に配され、前記第１の磁性層及び第３の磁性層よりもキュリー温度の低い第２の磁性層とが積層された磁壁移動型光磁気記録媒体を用いて情報を記録し、或いは記録情報を再生する情報記録再生装置において、前記光磁気記録媒体にテスト用信号を記録し、その信号を再生してパワー学習を行う場合、前記テスト用信号の記録時に前記光磁気記録媒体のサーボ制御を行うためのピット或いはアドレス情報を示すピットが形成されたピット領域を一定方向に着磁した状態でテスト記録を行う手段を有することを特徴とする情報記録再生装置。
【発明の詳細な説明】
【技術分野】
【０００１】
本発明は、光磁気記録媒体に情報を記録し、或いは記録情報を再生する情報記録再生方法及び装置、特に、最適記録パワー或いは最適再生パワーを決定するパワー学習技術に関するものである。
【背景技術】
【０００２】
近年、光磁気記録媒体の高記録密度化への要望が高まっており、それに応えるため光学的分解能を超えるような非常に微細な記録マークを再生する技術が開発されている。例えば、記録媒体の工夫によりこれを達成する方法として、磁気超解像再生法が知られている。この方法では、磁性多層膜において再生用レーザのスポット径よりも狭い検出領域のみに記録マークが転写され、他の領域では磁気的に一方向に揃ってマスクされるため、信号検出領域が実質的に制限され、光学系の分解能を超えた再生が可能になる。しかし、磁気超解像再生法において再生分解能を向上させようとすると、有効に使用可能な信号検出領域を狭くする必要があるので、再生信号振幅自体は低下するという欠点がある。
【０００３】
そこで、上記問題点を解決する方法として、例えば、特開平６−２９０４９６号公報に記載されているように信号検出領域を狭くするのではなく、記録マークを拡大して再生する方法が提案されている（特許文献１参照）。同公報の方法では、複数の磁性層からなる光磁気媒体に光スポットを照射して、垂直磁化として記録されている磁区を再生層に転写し、その再生層に転写した磁区の磁壁を移動させて、記録層の磁区よりも大きくして再生するものである。
【０００４】
次に、この磁壁移動検出方式について説明する。図６は磁壁移動検出方式の光磁気記録媒体及びその再生方法における作用を説明するための模式図を示す。図６（ａ）は磁壁移動型光磁気記録媒体の一例を示す。記録媒体は小さな磁壁抗磁力を有する第１の磁性層１１と、相対的に低いキュリー温度ＴＳを有する第２の磁性層１２と、大きな磁壁抗磁力を有する第３の磁性層１３からなる交換結合３層膜で構成されている。各層中の矢印１４は原子スピンの向きを表わしている。スピンの向きが相互に逆向きの領域の境界部には磁壁１５が形成されている。
【０００５】
記録膜面上を再生用のレーザビーム１６を利用して局所的に加熱すると、図６（ｂ）に示すような温度分布が形成され、これに伴い磁壁エネルギー密度の分布が図６（ｃ）に示すように形成される。磁壁エネルギー密度は一般的に温度が上昇するほど低下するので、ピーク温度の位置で磁壁エネルギー密度が最も低くなるような分布になる。この結果、位置Ｘに存在する第１の磁性層１１の磁壁をエネルギー密度の低い高温側へ移動させようとする磁壁駆動力Ｆが発生する。
【０００６】
媒体温度が第２の磁性層１２のキュリー温度ＴＳよりも低い場所では、各磁性層は交換結合しているため、前述の温度勾配による磁壁駆動力が作用しても、第３の磁性層１３の大きな磁壁抗磁力に阻止されて磁壁移動は起こらない。ところが、媒体温度ＴＳよりも高い場所では第１の磁性層１１と第３の磁性層１３との間の交換結合が切断されるため、磁壁抗磁力の小さな移動層中の磁壁は温度勾配による磁壁駆動力で磁壁移動が可能となる。このため、記録媒体の走査に伴って磁壁が温度ＴＳの位置を越えて結合切断領域に侵入した瞬間に移動層中で高温側へ磁壁移動が起こる。
【０００７】
記録膜中に信号に対応した間隔で形成されている磁壁が、媒体の走査に伴って温度ＴＳの位置を通過する度に移動層内で磁壁移動が発生する。媒体を一定速度で走査すると、記録されている磁壁の空間的間隔に対応した時間間隔で、この磁壁移動が発生することになる。従って、磁壁移動の発生を検知することにより記録信号を再生することができる。磁壁移動の発生は、再生用のレーザビームにより磁壁移動領域の磁化の向きに応じた偏光面の回転(カー効果)を利用して検知することができる。
【０００８】
信号振幅は磁壁移動距離で決まり、記録されている磁壁間の距離、即ち、磁区長には依存しない。また、再生スポットではなく、温度ＴＳの等温線が記録パターンを弁別していくことになるので、光学系の分解能とは無関係に信号を再生することができる。
【特許文献１】特開平６−２９０４９６号公報
【発明の開示】
【発明が解決しようとする課題】
【０００９】
ところで、特許文献１に記載された磁壁移動検出方式の光磁気記録媒体において、MO信号の電圧レベルは再生用のビームスポット前方からの磁壁移動とスポット後方の磁化方向によって決定される。精度良く再生信号を検出するには、スポット後方の磁化方向は一定方向に安定していることが望ましいが、実際には基板の傷やサーボ制御を行うためのピット或いはアドレス情報を示すピットが形成されたピット領域をきっかけとして磁化方向が反転する場合がある。
【００１０】
図７はその様子を示す。図７（ａ）は後方磁化の反転前、図７（ｂ）は反転後の状態を示す。図７（ａ）から図７（ｂ）に示すように後方の磁化が反転すると、図７（ｃ）に示すように再生信号のエンベロープ３１は後方の磁化方向が図７（ａ）の場合は下側に、図７（ｂ）の場合は上側にレベルがDC的に変動する。
【００１１】
パワー学習時にこのような再生信号のDC変動が生じると、再生信号はデューティーずれを生じたり、ジッターが悪化したりするためバラツキを生じ、信号を検出する上で最適な記録パワー或いは再生パワーを算出することが難しい。図８は再生信号のDC変動が生じた場合の記録パワー依存性を示す。図８から明らかなようにDC変動が生じる領域では記録パワーに対する再生信号のジッターが不安定となっており、最適な記録パワーを精度良く算出することは困難であった。
【００１２】
本発明は、上記従来の問題点に鑑みなされたもので、その目的は、再生信号のDC変動を生じることなく、安定したパワー学習を行うことが可能な情報記録再生方法及び装置を提供することにある。
【課題を解決するための手段】
【００１３】
本発明は、上記目的を達成するため、少なくとも、基板上に、磁壁が移動可能な第１の磁性層と、記録磁区を保持し、前記第１の磁性層より磁壁抗磁力が大きな第３の磁性層と、前記第１の磁性層と第３の磁性層との間に配され、前記第１の磁性層及び第３の磁性層よりもキュリー温度の低い第２の磁性層とが積層された磁壁移動型光磁気記録媒体を用いて情報を記録し、或いは記録情報を再生する情報記録再生方法において、前記光磁気記録媒体に記録されたテスト用信号を再生してパワー学習を行う場合、前記光磁気記録媒体に再生磁界を印加することを特徴とする。
【００１４】
また、本発明は、少なくとも、基板上に、磁壁が移動可能な第１の磁性層と、記録磁区を保持し、前記第１の磁性層より磁壁抗磁力が大きな第３の磁性層と、前記第１の磁性層と第３の磁性層間に配され、前記第１の磁性層及び第３の磁性層よりもキュリー温度の低い第２の磁性層とが積層された磁壁移動型光磁気記録媒体を用いて情報を記録し、或いは記録情報を再生する情報記録再生方法において、前記光磁気記録媒体にテスト用信号を記録し、その信号を再生してパワー学習を行う場合、前記テスト用信号の記録時に前記光磁気記録媒体のサーボ制御を行うためのピット或いはアドレス情報を示すピットが形成されたピット領域を一定方向に着磁した状態でテスト記録を行うことを特徴とする。
【００１５】
また、本発明は、少なくとも、基板上に、磁壁が移動可能な第１の磁性層と、記録磁区を保持し、前記第１の磁性層より磁壁抗磁力が大きな第３の磁性層と、前記第１の磁性層と第３の磁性層との間に配され、前記第１の磁性層及び第３の磁性層よりもキュリー温度の低い第２の磁性層とが積層された磁壁移動型光磁気記録媒体を用いて情報を記録し、或いは記録情報を再生する情報記録再生装置において、前記光磁気記録媒体に記録されたテスト用信号を再生してパワー学習を行う場合、前記光磁気記録媒体に再生磁界を印加する手段を有することを特徴とする。
【００１６】
また、本発明は、少なくとも、基板上に、磁壁が移動可能な第１の磁性層と、記録磁区を保持し、前記第１の磁性層より磁壁抗磁力が大きな第３の磁性層と、前記第１の磁性層と第３の磁性層間に配され、前記第１の磁性層及び第３の磁性層よりもキュリー温度の低い第２の磁性層とが積層された磁壁移動型光磁気記録媒体を用いて情報を記録し、或いは記録情報を再生する情報記録再生装置において、前記光磁気記録媒体にテスト用信号を記録し、その信号を再生してパワー学習を行う場合、前記テスト用信号の記録時に前記光磁気記録媒体のサーボ制御を行うためのピット或いはアドレス情報を示すピットが形成されたピット領域を一定方向に着磁した状態でテスト記録を行う手段を有することを特徴とする。
【発明の効果】
【００１７】
本発明によれば、再生時に再生磁界を印加しながらパワー学習を行い、或いはピット領域を一定方向に着磁した状態でパワー学習を行うことにより、再生信号のDC変動を生じることなく、安定したパワー学習を行うことが可能となる。
【発明を実施するための最良の形態】
【００１８】
次に、発明を実施するための最良の形態について図面を参照して説明する。まず、本発明の基本的な原理について説明する。上述のように後方の磁化方向が反転してしまう場合には再生信号はＤＣ変動を生じる。従って、基板の傷やサーボ制御を行うためのピット或いはアドレス情報を示すピットが形成されたピット領域が存在する場合において、後方の磁化方向を一定方向に安定させることが、安定したパワー学習に求められる。本願発明者は、鋭意研究の結果、後方の磁化方向を一定方向に安定させるには、以下の２つの方法が有効であることを見出した。
【００１９】
第１の方法は、再生磁界を印加するものであり、特開平１１−８６３７２号公報において再生磁界を印加することによって後方端部からの磁壁の移動を抑制する方法が提案されている。この方法を用いれば、後方端部からの磁壁の移動を抑制することで、再生信号のＤＣ変動を防止することができる。
【００２０】
第２の方法は、ピット領域を一定方向に着磁するものである。サーボ制御を行うためのピット或いはアドレス情報を示すピットが形成されたピット領域が存在する基板を用いて実験を行った結果、再生信号がＤＣ変動を生じる場合には、ピット領域がＤＣ変動のきっかけとなっていることが分かった。そこで、ピット領域を一定方向に着磁して、ピット領域内で磁壁が存在しないようにさせたところ、再生信号のＤＣ変動を抑えられることを見出したのである。
【００２１】
本発明は、このように再生磁界を印加すること、或いは、ピット領域を一定方向に着磁することにより、再生信号のＤＣ変動を防止することができ、これらの方法を用いてパワー学習を行うことにより、従来のパワー学習と比較してより精度の高い再生信号を得るものである。そこで、本発明の実施の形態について説明する。上述の第１の方法を第１の実施形態、第２の方法を第２の実施形態として説明する。
【００２２】
（第１の実施形態）
図１は本発明による光磁気記録再生装置の第１の実施形態を示すブロック図である。第１の実施形態では記録媒体に再生磁界を印加しながらパワー学習を行うものである。図中１０１は磁壁移動型の光磁気記録媒体、１０２は光記録媒体１０１を回転駆動するスピンドルモータである。また、１０３は光磁気記録媒体１０１に磁界を印加する磁界印加装置であり、情報記録時における記録磁界の印加の他にパワー学習時における再生磁界の印加を行う。
【００２３】
１０４は光磁気記録媒体１０１に記録用光ビーム或いは再生用光ビームを照射して情報の記録或いは再生を行うピックアップである。１０５は後述するようにピックアップ１０４から再生された再生信号と所定のスレッシュレベル１０６との差分を検出し、更に、得られた差分と０レベルとを比較することにより再生信号レベルを判定する再生信号レベル判定回路である。
【００２４】
１０７は再生信号レベル判定回路１０５の判定結果に基づいて再生磁界強度を調整する再生磁界調整回路、１０８は再生磁界調整回路１０７の出力に応じて磁界印加装置１０３を駆動する磁界印加装置駆動回路である。１０９は再生信号レベル判定回路１０５の出力に基づいて再生磁界強度を決定する再生磁界強度決定回路である。
【００２５】
図２は本実施形態に用いる磁壁移動型の光磁気記録媒体１０１の層構成の一例を示す模式的断面図である。図１に示すように基板２６上に少なくとも誘電体層２５、第1の磁性層２１（再生層）、第２の磁性層２２（調整層）、第３の磁性層２３（記録層）、誘電体層２４が順次積層されている。
【００２６】
光磁気記録媒体１０１は、第１の磁性層２１のキュリー温度をＴＣ１、第２の磁性層２２のキュリー温度をＴＣ２、第３の磁性層２３のキュリー温度をＴＣ３とする場合、これら磁性層のキュリー温度の関係は、ＴＣ１＞ＴＣ２、ＴＣ３＞ＴＣ２の条件を満足している。本実施形態ではこの光磁気記録媒体１０１を用いてパワー学習を行う。
【００２７】
次に、本実施形態の動作について説明する。最初に、再生磁界強度を決定する方法を説明する。まず、光磁気記録媒体１０１に磁界印加装置１０３によって変調記録磁界を印加し、ピックアップ１０４から記録用光ビームを照射することで光磁気記録媒体１０１に所定のテスト記録を行う。次いで、ピックアップ１０４からそのテスト記録領域に再生用光ビームを照射し、ピックアップ１０４内の光検出器（図示せず）でその反射光を検出し、テスト記録信号の再生を行う。
【００２８】
得られた再生信号は再生信号レベル判定回路１０５において常時スレッシュレベル１０６との差分が検出され（再生信号上側ピークレベルとの差分）、その差分が＞０かどうかの判定を行う。この場合、その差分が＞０と判定した時に再生磁界強度調整回路１０７において磁界印加装置駆動回路１０８を制御し、磁界印加装置１０３から印加する再生磁界強度の調整を行う。再生磁界強度の調整を何回か行った後、常時スレッシュレベル１０６との差分が＜０と判定されれば、その時の磁界強度を再生磁界強度決定回路１０９で再生磁界強度と決定してパワー学習を行う。
【００２９】
図３は再生磁界強度の調整方法を説明する図である。まず、図３（ａ）に示すように再生磁界を印加しない場合には、再生信号のエンベロープ６１は媒体周方向でＤＣ変動を生じる。再生信号のエンベロープ６１の上側のピークレベルがスレッシュレベル１０６以上になった時には、図３（ｂ）に示すように再生信号レベル判定回路１０５の差分６３は＞０となる。ここで、判定基準となるスレッシュレベル１０６は上述のような再生信号のＤＣ変動が生じない再生磁界を検出する場合の基準値であるが、例えば、消去時の再生信号レベル（図３（ａ）にＡで示す）に信号振幅値（図３（ａ）にＢで示す）を足し合わせた値以上のものとしている。
【００３０】
再生信号レベル判定回路１０５の差分６３が＞０と判定された場合には、再生磁界強度調整回路１０７において再生磁界強度６４を図３（ｃ）に示すようにある一定値ΔＨｒ６５大きくする。そして、再び再生信号レベル判定回路１０５の差分６３が＞０となると、図３（ｃ）に示すように再生磁界強度６４を更にΔＨｒ６５大きくする。
【００３１】
図４（ａ）はこのような動作を繰り返し行い、常時、再生信号レベル判定回路１０５の差分６３が＜０と判定された場合の再生信号のエンベロープ６１を示す。また、図４（ｂ）はその場合の再生信号レベル判定回路１０５の差分６３を、図４（ｃ）はその場合の再生磁界強度６４（６６Ｈｒ＝Ｎ×ΔＨｒ）を示す。
【００３２】
図４（ａ）に示すように再生信号のエンベロープ６１はＤＣ変動を生じることなく安定しており、この時の再生磁界強度６４をパワー学習時に使用するものである。ここで、再生磁界強度６４の大きさＨｒ６６は、Ｎ×ΔＨｒとなっており（Ｎ：再生信号レベル判定回路１０５の差分６３が＞０となった回数）、ＤＣ変動を生じずに最も小さい再生磁界強度に設定されていることになる。このような方法を用いて決定した再生磁界強度を再生時に印加することにより安定してパワー学習を行うことが可能となる。
【００３３】
次に、パワー学習を行う場合の動作について説明する。まず、最適記録パワーを決定する場合には、光磁気記録媒体１０１に磁界印加装置１０３から変調記録磁界を印加し、ピックアップ１０４から記録用光ビームの記録パワーをある範囲内で変えながら所定パターン信号のテスト記録を行う。このテスト記録は光磁気記録媒体１０１の予め決められたテスト領域に行う。
【００３４】
テスト記録を終了すると、先に得られた再生磁界を磁界印加装置１０３から光磁気記録媒体１０１に印加した状態で、ある一定の再生パワーの再生用光ビームをピックアップ１０４からテスト領域に走査して信号の再生を行い、記録パワー毎に再生信号のｂＥＲ（エラーレート）を測定する。測定を終了すると、エラーレートの閾値（例えば、５×１０−４）を決めて、この閾値以下のエラーレートを満足する記録パワーの下限及び上限が得られ、その間のパワーを最適記録パワーとする。
【００３５】
次に、最適再生パワーを決定する場合には、得られた最適記録パワーを用いて光磁気記録媒体１０１のテスト領域に所定パターンの信号記録を行う。次いで、同様に再生磁界を印加しながらその記録信号を再生パワーをある範囲内で変えながら再生を行い、再生パワー毎に再生信号のエラーレートを測定する。測定を終了すると、同様にエラーレートの閾値を決めて、その閾値以下を満足する再生パワーの下限及び上限が得られ、その間のパワーを最適再生パワーとして決定する。
【００３６】
（第２の実施形態）
次に、本発明の第２の実施形態について説明する。本実施形態では、ピット領域を一定方向に着磁してパワー学習を行う。図５はピット領域を一定方向に着磁する方法を説明する図である。ここで、光磁気記録媒体１０１は図５に示すように記録領域と、ミラー部にピット（サーボピットやアドレスピット等）が形成されたピット領域から構成されている。図５では具体例として記録トラックと隣接するトラックはアニール処理されているものを示したが、アニール処理の有無や溝形状に特に限定されるものではなく、ピット領域を持つ全ての光磁気記録媒体に適用することができる。
【００３７】
ここでは、磁界変調方式で記録を行う場合を説明する。記録磁界信号は図５に示すようにピット領域でＤＣ的に印加するものであり、このような記録磁界信号によって図１の磁界印加装置１０３を駆動することにより、光磁気記録媒体１０１のピット領域を一定方向に着磁させることができる。これにより、ピット領域内では磁壁が存在しないので、ピット領域をきっかけとして再生信号がＤＣ変動することはなく、安定してパワー学習を行うことが可能である。ここで、ピット領域を一定方向に着磁させるような記録方法であれば、前記記録方法に限定されるものではない。なお、ピット領域に印加する磁界強度は光磁気記録媒体の記録層の磁化特性に応じて設定するのが良い。
【００３８】
次に、最適記録パワーを決定する場合には、第１の実施形態の場合と同様に光磁気記録媒体１０１に磁界印加装置１０３から変調記録磁界を印加し、ピックアップ１０４から記録用光ビームの記録パワーをある範囲内で変えながら所定パターン信号のテスト記録を行う。但し、本実施形態では、図５に示すように光磁気記録媒体１０１のピット領域を一定方向に着磁させる。このテスト記録は光磁気記録媒体１０１の予め決められたテスト領域に記録を行う。
【００３９】
テスト記録を終了すると、ある一定の再生パワーの再生用光ビームをピックアップ１０４からテスト領域に走査して信号の再生を行い、記録パワー毎に再生信号のｂＥＲ（エラーレート）を測定する。測定を終了すると、エラーレートの閾値（例えば、５×１０−４）を決めて、この閾値以下のエラーレートを満足する記録パワーの下限及び上限が得られ、その間のパワーを最適記録パワーとする。なお、信号再生の場合には、ピット領域は一定方向に着磁されているので着磁しなくても良い。
【００４０】
次に、最適再生パワーを決定する場合には、得られた最適記録パワーを用いて光磁気記録媒体１０１のテスト領域に所定パターンの信号記録を行う。次いで、その記録信号を再生パワーをある範囲内で変えながら再生を行い、再生パワー毎に再生信号のエラーレートを測定する。測定を終了すると、同様にエラーレートの閾値を決めて、その閾値以下を満足する再生パワーの下限及び上限が得られ、その間のパワーを最適再生パワーとして決定する。この信号再生の場合もピット領域は一定方向に着磁されているので着磁しなくても良い。
【図面の簡単な説明】
【００４１】
【図１】本発明の第１の実施形態を示すブロック図である。
【図２】図１の実施形態で用いる光磁気記録媒体の層構成の一例を示す模式的断面図である。
【図３】第１の実施形態の再生磁界を調整する場合の各部の信号を示す図である。
【図４】第１の実施形態の再生磁界決定後の各部の信号を示す図である。
【図５】本発明の第２の実施形態を説明する図である。
【図６】磁壁移動再生方式を説明する模式図である。
【図７】後方の磁化が反転した場合の再生信号のエンベロープがＤＣ変動する様子を示す図である。
【図８】再生信号がＤＣ変動を生じた場合のジッターの記録パワー依存性を示す図である。
【符号の説明】
【００４２】
１１、２１  第１の磁性層
１２、２２  第２の磁性層
１３、２３  第３の磁性層
１４  電子スピンの向き
１５  磁壁
１６  再生用のビームスポット
１７  磁壁の移動方向
１８  媒体移動方向
２４  誘電体層
２５  誘電体層
２６  基板
１０１  光磁気記録媒体
１０２  スピンドルモータ
１０３  磁界印加装置
１０４  ピックアップ
１０５  再生信号レベル判定回路
１０６  スレッシュレベル
１０７  再生磁界強度調整回路
１０８  磁界印加装置駆動回路
１０９  再生磁界強度決定回路
【図１】
2005174517.tif 000003
【図２】
2005174517.tif 000004
【図３】
2005174517.tif 000005
【図４】
2005174517.tif 000006
【図５】
2005174517.tif 000007
【図６】
2005174517.tif 000008
【図７】
2005174517.tif 000009
【図８】
2005174517.tif 000010